(57)【特許請求の範囲】
【請求項１】
有機物のｐＨを、５以上に調整するｐＨ調整工程と、ミネラル液水溶液に浸漬させるミネラル液浸漬工程と、前記有機物を攪拌しながら前記ミネラル液希釈水を添加させる一次発酵工程と、該一次発酵工程から取り出した前記有機物を堆肥場内に堆積させて発酵させながら、ミネラル液希釈水を添加する二次発酵・完熟工程と、該二次発酵・完熟工程で得られた有機堆肥に攪拌しながらミネラル液水溶液を添加する堆肥後ミネラル添加工程を、少なくとも備える工程によって製造するフェリハイドライト腐植複合体製造工程と、
前記フェリハイドライト腐植複合体製造工程で製造されたフェリハイドライト腐植複合体を、汚染土壌近くの土壌の上に載置する腐植複合体最下層配置工程と、
前記腐植複合体最下層配置工程で得た腐植複合体最下層の上に、前記汚染土壌と、前記フェリハイドライト腐植複合体とを交互に載置して腐植・土壌積層体を形成する腐植・土壌積層工程と、
前記腐植・土壌積層体を攪拌して腐植・土壌混合物を得る腐植・土壌攪拌工程と、を行うことを特徴とする汚染土壌の浄化方法。
【請求項２】
前記ミネラル液浸漬工程は、前記有機物のｐＨを５以上に維持し、鉄が、略ｐＨ３以下では、Ｆｅ３＋として、略ｐＨ３〜略ｐＨ４では、Ｆｅ３＋とＦｅ（ＯＨ）２＋として、略ｐＨ４〜略ｐＨ５では、Ｆｅ３＋とＦｅ（ＯＨ）２＋とＦｅ（ＯＨ）２＋として、略ｐＨ５より高いｐＨでは、Ｆｅ（ＯＨ）２＋とＦｅ（ＯＨ）２＋とＦｅ（ＯＨ）３として存在し、玄武岩および安山岩を含む群からなる少なくとも一の堆積岩土壌を無機酸で抽出して得たミネラル液を水で希釈したミネラル液希釈水に５時間以上浸漬してなることを特徴とする請求項１記載の汚染土壌の浄化方法。
【請求項３】
前記腐植・混合物積層工程と、前記腐植・混合物攪拌工程と、を所定回順次繰り返して行い、
繰り返し行って得た前記腐植・混合物の混合物を、もとの前記汚染土壌の場所に戻す戻し工程を行うことを特徴とする請求項１記載の汚染土壌の浄化方法。
【発明の詳細な説明】
【０００１】
【技術分野】
本発明は、土壌の浄化方法に係り、特に重金属を含む汚染土壌を浄化する方法に関するものである。
【０００２】
【背景技術】
近年、地球の環境汚染が深刻なものとなり、環境問題に関心が高まっている。環境汚染の一つである土壌汚染としては、トリクロロエチレンなど発ガン性のある有害化学物質による土壌汚染、重金属類による土壌汚染、これらの両方による複合汚染が問題となっている。
土壌汚染は、工場の事故や廃棄物の不法投棄等により引き起こされるが、土壌の浄化能力を上回る量の有害化学物質や重金属が土壌に入ると、土壌の諸機能が損なわれるとともに、地下水の汚染の原因ともなる。また、土壌汚染による環境破壊は、汚染する行為が行われて公害という形になって現れるまでに長い期間がかかるため、土壌汚染の対策は、難しいものとなっている。
【０００３】
そこで、わが国でも、深刻化した土壌汚染の状況に鑑みて、土壌に関する環境基準が整備され、土壌・地下水汚染の対策に関する基盤が整備されてきている。
土壌浄化は、汚染された土地の土壌を、汚染されていない土壌に入れ替える「土壌の入れ替え」を行い、汚染土壌を別の場所に搬送して浄化する方法が一般的に行われている。
また、汚染が広範な範囲に亘る場合には、揚水井戸などを設けて汚染地下水を揚水し土壌を浄化する方法も行われている。
【０００４】
しかし、上記のような従来の土壌の浄化方法によれば、大掛かりな装置が必要になるという問題点があった。
土壌の入れ替えを行う場合には、汚染土壌と清浄土壌とを入れ替える工事のほか、汚染土壌の運搬、さらに土壌の浄化装置が必要であり、大掛かりな工事と装置が必要であった。また、汚染地下水の揚水による浄化方法によれば、揚水井戸のほか、活性炭吸着装置等の浄化装置が必要となり、大掛かりな装置が必要であった。
また、狭い範囲の土壌の浄化が必要なケースも増えているが、上記従来の方法によれば、工事が大掛かりとなってしまうため、狭い範囲の土壌の浄化を手軽に行うことができる方法の開発が望まれていた。
【０００５】
本発明は、上記問題点および要望に鑑みなされたものであり、本発明の目的は、大掛かりな装置を用いずに、簡易に行うことができる土壌の浄化方法を提供することにある。
【０００６】
【発明の開示】
本発明における土壌の浄化方法は、有機物のｐＨを、５以上に調整するｐＨ調整工程と、ミネラル液水溶液に浸漬させるミネラル液浸漬工程と、前記有機物を攪拌しながら前記ミネラル液希釈水を添加させる一次発酵工程と、該一次発酵工程から取り出した前記有機物を堆肥場内に堆積させて発酵させながら、ミネラル液希釈水を添加する二次発酵・完熟工程と、該二次発酵・完熟工程で得られた有機堆肥に攪拌しながらミネラル液水溶液を添加する堆肥後ミネラル添加工程を、少なくとも備える工程によって製造するフェリハイドライト腐植複合体製造工程と、前記フェリハイドライト腐植複合体製造工程で製造されたフェリハイドライト腐植複合体を、汚染土壌近くの土壌の上に載置する腐植複合体最下層配置工程と、前記腐植複合体最下層配置工程で得た腐植複合体最下層の上に、前記汚染土壌と、前記フェリハイドライト腐植複合体とを交互に載置して腐植・土壌積層体を形成する腐植・土壌積層工程と、前記腐植・土壌積層体を攪拌して腐植・土壌混合物を得る腐植・土壌攪拌工程と、を行うことを特徴とする。
【０００７】
また、前記ミネラル液浸漬工程は、前記有機物のｐＨを５以上に維持し、鉄が、略ｐＨ３以下では、Ｆｅ３＋として、略ｐＨ３〜略ｐＨ４では、Ｆｅ３＋とＦｅ（ＯＨ）２＋として、略ｐＨ４〜略ｐＨ５では、Ｆｅ３＋とＦｅ（ＯＨ）２＋とＦｅ（ＯＨ）２＋として、略ｐＨ５より高いｐＨでは、Ｆｅ（ＯＨ）２＋とＦｅ（ＯＨ）２＋とＦｅ（ＯＨ）３として存在し、玄武岩および安山岩を含む群からなる少なくとも一の堆積岩土壌を無機酸で抽出して得たミネラル液を水で希釈したミネラル液希釈水に浸漬してなることを特徴とする。
【０００８】
このように、フェリハイドライト腐植複合体を製造し、この製造されたフェリハイドライト腐植複合体を用いているため、土壌回復資材に含まれるフェリハイドライト腐植複合体特有の性質により、効率よく土壌の浄化を行うことが可能となる。つまり、フェリハイドライト腐植複合体を用いることにより、効率よく重金属土壌の浄化を行うことが可能となるのである。
【０００９】
また、フェリハイドライト腐植複合体を用いることにより、効率よく有機物土壌の浄化を行うことが可能となるのである。
【００１０】
そして、土壌の上に、まず腐植複合体を載置する腐植複合体最下層配置工程を行っているため、汚染土壌に含まれる重金属や有害有機化合物が、土壌に移行することを防止することが可能となる。
【００１１】
また、前記腐植・混合物積層工程と、前記腐植・混合物攪拌工程と、を所定回順次繰り返して行い、
繰り返し行って得た前記腐植・混合物の混合物を、もとの前記汚染土壌の場所に戻す戻し工程を行うように構成すると好適である。
このように、腐植複合体最下層の上に、汚染土壌と、フェリハイドライト腐植複合体とを交互に載置して腐植・土壌積層体を形成する腐植・土壌積層工程を行っているので、後工程である腐植・土壌攪拌工程で、腐植複合体と汚染土壌とを、容易にまんべんなく混合させることが可能となる。
【００１２】
【発明を実施するための最良の形態】
以下、本発明の実施例を図面に基づいて説明する。なお、以下に説明する部材、配置等は本発明を限定するものでなく、本発明の趣旨の範囲内で種々改変することができるものである。
（実施の形態１）
本実施形態は、フェリハイドライト腐植複合体を使って、重金属の土壌を浄化（不活性化）する方法である。
本実施形態のフェリハイドライト腐植複合体とは、非晶質フェリハイドライト（以下フェリハイドライトという）と有機物との複合体をいう。また、「腐植」とは、本明細書では、土壌有機物を意味し、堆肥と同義である。
フェリハイドライト（Ｆｅｒｒｉｈｙｄｒｉｔｅ）とは、一般式５Ｆｅ２Ｏ３・９Ｈ２Ｏで表される非晶質鉄水和酸化物である。一般的には、地球表層において初期段階で形成される低結晶度の鉄鉱物として知られている。
フェリハイドライトは、有機化合物のカルボキシル基やカルボニル基のＯＨ端、Ｏ端と配位結合する性質があり凝集体を形成する。比表面積が約２００（ｍ２／ｇ）と大きく、有機化合物のＯＨ端、Ｏ端との反応に供される場が広いため、触媒能が高く、凝集体を形成する能力が高いことが分かっている。
【００１３】
本実施形態のフェリハイドライト腐植複合体は、玄武岩、安山岩等の堆積岩土壌に、濃度１０〜２０重量％の硫酸水溶液を添加して酸可溶成分を抽出した天然由来のイオン化ミネラル濃縮液（株式会社リオン製のクレイエクストラクトＷ．Ｗ；以下、ミネラル液と称する。）と、有機物化合物混合物とを原料として、下記の製造工程により製造される。
ミネラル液は、鉄を７０００〜１３０００（ｐｐｍ）程度含む。ミネラル液に含まれる鉄は、ｐＨによって異なる形態で存在する。ｐＨ３以下では、鉄は、Ｆｅ３＋、ｐＨ３〜ｐＨ４では、Ｆｅ３＋とＦｅ（ＯＨ）２＋、ｐＨ４〜ｐＨ５では、Ｆｅ３＋とＦｅ（ＯＨ）２＋とＦｅ（ＯＨ）２＋、ｐＨ５より高いｐＨでは、Ｆｅ（ＯＨ）２＋とＦｅ（ＯＨ）２＋とＦｅ（ＯＨ）３として存在する。
また、本実施形態のミネラル液の母材である土壌を硫酸抽出した残渣は、純鉄（Ｆｅ（３＋））と、非結晶質の針鉄鉱（α−ＦｅＯＯＨ）とを含んでいる。ここで、純鉄（Ｆｅ（３＋））とは、変化しにくい安定した鉄をいい、酸化されず、溶出しないという性質を有する鉄をいう。
有機化合物混合物としては、畜糞、生ゴミ、食品廃棄物、剪定枝や廃材チップ、浄化槽汚泥等の有機廃棄物を用いる。
【００１４】
フェリハイドライト腐植複合体の製造方法について説明する。
まず、公知のシュレッダーで破砕した有機物廃棄物のｐＨ調整工程を行う。この工程では、消石灰（水酸化カルシウム：Ｃａ（ＯＨ）２）を添加して、有機物のｐＨを、５以上に調整する。このｐＨ調整工程により、後のミネラル液浸漬工程以降の各工程で、有機物とミネラル液水溶液との混合物のｐＨが５以上となるため、フェリハイドライト形成が可能となる。
ｐＨ調整工程の後、ｐＨ５以上に調整された有機物を、５０００倍に水で希釈したミネラル液希釈水槽に浸漬し、５時間以上放置するミネラル液希釈水浸漬工程を行う。
【００１５】
このように、ミネラル液を水で希釈するのは、ミネラル液は、ｐＨが０．１〜０．２程度であるため、ミネラル液原液に有機物化合物を添加すると、堆肥化過程で発酵を行う菌が死滅してしまい、後のミネラル添加・発酵工程で、堆肥化することができなくなるからである。
このミネラル液希釈水は、菌死滅防止のためには、ｐＨ５〜７とすると好適である。
その後、公知のブレンダ内で、ミネラル液希釈水を添加し、攪拌しながら有機物を発酵させる一次発酵（ミネラル液添加）工程を行う。ここでは、公知の発酵助剤を添加してもよい。
【００１６】
次いで、有機物をブレンダ１１から取りだし、二次発酵・完熟（ミネラル液添加）工程を行う。この工程では、ブレンダから取り出した有機物を、屋根のある堆肥場内で堆積して発酵させながら、ミネラル液希釈水を更に添加する。有機物の温度が６５℃〜７０℃に達した時点で、ブルドーザ、ショベルカー等を用いた攪拌による切り返しをしながら、７０００倍ミネラル液希釈水の補給を行う。
二次発酵・完熟（ミネラル液添加）工程開始から３週間程度で有機物は完熟堆肥となる。
その後、完熟した有機物堆肥に、攪拌しながらミネラル液希釈水を添加する堆肥化後ミネラル添加工程を行う。
以上で、本実施形態で用いるフェリハイドライト腐植複合体を完成する。このフェリハイドライト腐植複合体中のフェリハイドライト量は５ＰＰＭとする。また、このフェリハイドライト腐植複合体のＣＥＣ（陽イオン交換容量）は約８０（ｍｅｑ）（肥料分析法の酢酸アンモニウム法による測定）である。
【００１７】
なお、本実施形態では、上記方法により製造されたフェリハイドライト腐植複合体を用いるが、これに限定されず、他の方法により製造されたもの、または天然のフェリハイドライト腐植複合体を用いてもよい。
なお、このフェリハイドライト腐植複合体の汚染改善効果は、陽イオン交換容量（ＣＥＣ）にて特定する。陽イオン交換容量とは、土壌が陽イオンを吸着できる最大量（陰荷電の総量）をいい、塩基置換容量ともいわれている。本実施形態で用いるフェリハイドライト腐植複合体としては、陽イオン交換容量が３０（ｍｅｑ）以上、好ましくは５０（ｍｅｑ）以上のものを用いるとよい。
【００１８】
次に、本実施形態に係る土壌の浄化方法について説明する。
予め、土壌１のうち問題となっている汚染土壌２の付近の場所に、公知のトラック自動車を用いてフェリハイドライト腐植複合体（以下、腐植複合体と称する。）３を積んでおく。
次いで、図１（Ｂ）のように、構内の汚染土壌２近くの土壌４の上に、腐植複合体を、略円盤状または略板状となるように載置して腐植複合体最下層５を形成する腐植複合体最下層配置工程２１を行う。この工程は、公知のブルドーザで腐植複合体を移動させることにより行う。
なお、本実施形態では、土壌４の上に、まず腐植複合体を載置している。土壌４の上に、腐植複合体よりも先に汚染土壌２を載置すると、汚染土壌２に含まれる重金属や有害有機化合物が、土壌４に移行する恐れがあるからである。
【００１９】
次いで、図１（Ｂ）のように、腐植複合体最下層４の上に、汚染土壌２を略円盤状または略板状となるように載置して汚染土壌第一層６を形成する汚染土壌第一層配置工程を行う。この工程は、公知のブルドーザで汚染土壌２を移動させることにより行う。
その後、腐植・土壌積層工程２２を行う。この工程では、まず、腐植複合体を、汚染土壌第一層６の上に略円盤状または略板状となるように載置して腐植複合体第二層７を形成する腐植複合体第二層配置工程と、腐植複合体第二層７の上に、汚染土壌２を略円盤状または略板状となるように載置して汚染土壌第二層８を形成する汚染土壌第二層配置工程を行う。
さらに、この腐植複合体第二層配置工程と同様の手順で、汚染土壌第二層８の上に腐植複合体第三層９を形成する腐植複合体第三層配置工程と、汚染土壌第二層配置工程と同様の手順で、腐植複合体第三層９の上に汚染土壌第三層１０を形成する汚染土壌第三層配置工程を行う。
【００２０】
以上のようにして、図１（Ｃ）に示す腐植・土壌積層体１１が完成する。
このように、腐植複合体最下層配置工程２１と腐植・土壌積層工程２２とを行って、腐植複合体層５、７、９と汚染土壌層６、８、１０とを交互に形成することにより、後工程である腐植・土壌攪拌工程２３で、腐植複合体と汚染土壌とを、容易にまんべんなく混合させることが可能となる。
処理する汚染土壌の量によって異なるが、各腐植複合体配置工程では、腐植・土壌積層体１１全体の高さを２〜３ｍ程度とすると、作業効率の点から好適である。
【００２１】
次いで、図１（Ｃ）の腐植・土壌積層体１１を、公知のブルドーザを用いて攪拌混合し、腐植・土壌混合物１２を得る腐植・土壌攪拌工程２３を行う。
腐植・土壌攪拌工程２３は、フェリハイドライト表面のＯＨ基と重金属カチオンとをよく接触させ、フェリハイドライト表面にまんべんなく重金属を吸着させる為に行う。
この腐植・土壌攪拌工程２３で、腐植複合体に含まれるフェリハイドライトに、重金属および有機物を吸着させることとなる。この場合の吸着は、紙のフィルターに重金属が付着する機構と類似した機構により進行する。
腐植・土壌攪拌工程２３では、充分に攪拌する。酸素を充分に供給して、土壌中又は複合体中の微生物の活性を促すためである。また、紫外線を腐植・土壌混合物１２中に充分に取り込んで、フェリハイドライトの有機化合物分解反応の触媒能を活性化させるためである。
【００２２】
その後、腐植・土壌混合物１２を、図１（Ｄ）に示すように、土壌４とは異なる場所に移動する移動工程２４を行い、次の汚染土壌浄化処理に備える。
その後、腐植・土壌攪拌工程２３で得た腐植・土壌混合物１２を、上記汚染土壌２の代わりに用い、新たな腐植複合体３を用いて、上記腐植複合体最下層配置工程から上記移動工程までの工程と同様の手順を行う。
具体的には、構内の土壌の上に、腐植複合体を載置する腐植複合体最下層５再配置工程２５を行う。
【００２３】
その後、この再配置工程２５で得た腐植複合体最下層５の上に、攪拌工程で形成された腐植・土壌混合物１２と、腐植複合体とを交互に載置して腐植・混合物積層体１１を形成する腐植・混合物積層工程２６を行う。
次いで、腐植・混合物積層工程２６で得た腐植・混合物積層体１１を攪拌して腐植・混合物の混合物１２を得る腐植・混合物攪拌工程２７と、この腐植・混合物の混合物１２を移動する移動工程２８を行う。
この後、腐植複合体最下層再配置工程、腐植・混合物積層工程、腐植・混合物攪拌工程、移動工程を、所定回、例えば２〜４回程度順次繰り返し行う繰り返し工程２９を行う。なお、この所定回には、２回以上の複数回のほか、１回も含まれるものとする。
【００２４】
その後、原子吸光光度法により土壌の浄化処理を完了した浄化処理済土壌の重金属量の定量を行う。また、ガラス電極法により、ｐＨを測定する。
重金属が不活性化し、中和され、または弱酸性となったことを確認した後、浄化処理済土壌を、もとの汚染土壌２の場所に戻す戻し工程３０を行い、土壌の浄化を完了する。
その後、必要がある場合には、新たな汚染土壌２について、図２に示す工程により、土壌の浄化処理を行う。
【００２５】
本実施形態で使用するフェリハイドライト腐植複合体の量は、処理する汚染土壌の量、質によっても異なるが、一般的には、汚染土壌１ｔに対し、フェリハイドライト腐植複合体の量が０．２〜０．５ｔ、好ましくは０．４ｔ程度となるようにするとよい。汚染土壌１ｔに対するフェリハイドライト腐植複合体量を０．５ｔ以下としたのは、０．５ｔより多くなると、後の戻し工程３０で、元の場所に収まらない混合物の量が多くなり過ぎるからである。
したがって、例えば、図２の腐植複合体最下層配置工程２１から移動工程２４のみ行う場合には、すでに述べたように、積層体１１全体の高さが２〜３ｍであるので、腐植複合体層５、７、９は、２０〜３０ｃｍ程度の厚さ、汚染土壌層６、８、１０は、５０〜８０ｃｍ程度の厚さとなる。
【００２６】
また、一般的には、汚染土壌１ｔに対し、フェリハイドライト量が１〜５ｇ程度となるように、フェリハイドライト腐植複合体を混合するとよい。
なお、腐植複合体最下層再配置工程２５、腐植・混合物積層工程２６、腐植・混合物攪拌工程２７を行う代わりに、図３に示すように、混合物最下層配置工程３５、混合物・土壌積層工程３６、混合物・土壌攪拌工程３７を行ってもよい。この浄化方法は、腐植・土壌攪拌工程２３で得た腐植・土壌混合物１２を腐植複合体３の代わりに用い、新たな汚染土壌２を用いて、上記腐植複合体最下層配置工程２１から上記移動工程２４までの工程と同様の手順を行うものである。
【００２７】
具体的には、構内の汚染土壌２近くの土壌の上に、攪拌工程２３で形成された腐植・土壌混合物を載置する混合物最下層配置工程３５を行う。
その後、この配置工程３５で得た混合物最下層の上に、汚染土壌２と、攪拌工程２３で形成された腐植・土壌混合物とを交互に載置して混合物・土壌積層体を形成する混合物・土壌積層工程３６を行う。
次いで、混合物・土壌積層工程３６で得た混合物・土壌積層体を攪拌して混合物・土壌の混合物を得る混合物・土壌攪拌工程３７と、この混合物・土壌の混合物を移動する移動工程３８を行う。
この後、混合物最下層配置工程３５、混合物・土壌積層工程３６、混合物・土壌攪拌工程３７、移動工程３８を、所定回、例えば２〜４回程度順次繰り返し行う繰り返し工程３９を行う。なお、この所定回には、２回以上の複数回のほか、１回も含まれるものとする。
その後、重金属の定量、ｐＨの測定を行い、重金属が不活性化し、中和され、または弱酸性となったことを確認した後、浄化処理済土壌を、もとの汚染土壌２の場所に戻し、土壌の浄化を完了する。
【００２８】
なお、図３に示す浄化方法では、移動工程２４の後で混合物最下層配置工程を行っているが、戻し工程３０の後で混合物最下層配置工程を行ってもよい。
なお、腐植・土壌積層工程２２では、ｐＨ５以上に調整した前記したミネラル液希釈水を、汚染土壌６、８、１０または腐植・土壌の混合物１２に散布して行ってもよい。腐植・土壌攪拌工程２３では、ミネラル液希釈水を散布しながら攪拌してもよい。ミネラル液希釈水の散布は、散布する汚染土壌６、８、１０または腐植・土壌の混合物１２のｐＨを５以上に維持した状態で行う。また、腐植・混合物積層工程２６、混合物・土壌積層工程３６、腐植・混合物攪拌工程２７、混合物・土壌攪拌工程３７、繰り返し工程２９、３９でも、土壌等のｐＨを５以上として、同様にミネラル液希釈水を散布してもよい。
【００２９】
また、腐植複合体最下層配置工程２１の前に、腐植・土壌積層体１１を配置する土壌２に、予めｐＨ５以上に調整した前記したミネラル液希釈水を、散布しておいてもよい。このようにすれば、腐植複合体最下層５よりも下に、第一層として汚染土壌を載置することも可能となる。
また、すべての工程の前に、予め汚染土壌２にミネラル液希釈水を散布しておいてもよいし、汚染土壌２を掘削しながらミネラル液希釈水を散布してもよい。
本実施形態の土壌の浄化方法では、土壌回復資材としてフェリハイドライト腐植複合体を用いているため、土壌回復資材に含まれるフェリハイドライト特有の性質により、効率よく土壌の浄化を行うことが可能となる。
【００３０】
フェリハイドライトは、表面で変異荷電特性をもつ−ＯＨ基が、プラスのイオンを持つ重金属を吸着、キレート結合し、固定、不活性化させる性質を有するため、重金属を含む土壌の浄化を行うことが可能となる。さらに、フェリハイドライトは比表面積が１８０〜２００ｍ２／ｇと大きく、重金属を吸着できる面積が広いため、フェリハイドライトを含むフェリハイドライト腐植複合体を用いることにより、効率よく重金属土壌の浄化を行うことが可能となるのである。
また、フェリハイドライトは、負電荷を持つ有機化合物の官能基とキレート結合して凝集する性質、鉄水和酸化物の有機化合物の分解を触媒する性質を有するため、有機化合物の吸着分解、不活性化により、有機化合物を含む土壌の浄化を行うことが可能となる。さらに、フェリハイドライトは比表面積が１８０〜２００ｍ２／ｇと大きく、有機化合物を吸着分解、不活性化できる面積が広いため、フェリハイドライトを含むフェリハイドライト腐植複合体を用いることにより、効率よく有機物土壌の浄化を行うことが可能となるのである。
【００３１】
（実施例１）
以下、図２に示す土壌の浄化方法により、汚染土壌を浄化した実施例について説明する。
本例では、廃棄物処理場に隣接した土地の汚染土壌の浄化を行った。重金属であるカドミウム（Ｃｄ）を２８０ｐｐｍ、銅（Ｃｕ）を３５０ｐｐｍ含む汚染土壌１ｔを汚染土壌として用いた。
本例の浄化方法の手順について説明する。
汚染土壌近くの土壌の上に、ブルドーザで、腐植複合体を、高さ１０ｃｍになるように平らに載置し、その上に、汚染土壌を高さ５０ｃｍになるように載置した。その後、この汚染土壌の上に、腐植複合体と、汚染土壌とを、複合体層の高さが１０ｃｍ、汚染土壌層の高さが５０ｃｍになるように順次積層し、腐植・土壌積層体１１を形成した。全体として、腐植複合体層が３層、汚染土壌層が３層で、合計６層、腐植複合体が全体で０．２ｔ、汚染土壌が全体で１ｔになるようにした。
その後、この腐植・土壌積層体１１を、ブルドーザを用いてその場で攪拌し、１．２ｔの腐植・土壌混合物１２を得た。
この腐植・土壌混合物１２を、数ｍ移動させ、次の土壌浄化処理に備えた。
【００３２】
次いで、再度、ブルドーザで、腐植複合体を、高さ１０ｃｍになるように平らに載置した。その上に、腐植・土壌混合物１２の一部を高さ６０ｃｍになるように載置した。その後、この腐植・土壌混合物の上に、腐植複合体と、腐植・土壌混合物とを、腐植複合体層の高さが１０ｃｍ、腐植・土壌混合物層の高さが６０ｃｍになるように順次積層し、腐植・混合物積層体１１'を、合計６層となるように形成した。このとき用いた腐植・土壌混合物１２は１．２ｔ、腐植複合体は０．２ｔとした。
その後、この腐植・土壌積層体１１を、ブルドーザを用いてその場で攪拌し、１．４ｔの腐植・土壌混合物１２'を得て、土壌の浄化を完了した。
【００３３】
この土壌の浄化処理を行った腐植・土壌混合物１２'の重金属量を測定したところ、カドミウムは１０ｐｐｍ、銅は８ｐｐｍになっていた。
この測定結果より、土壌中の重金属量が目標値以下になっていたと判断し、１．４ｔの腐植・土壌混合物１２'のうち１ｔを、元の汚染土壌があった場所に戻した。
以上で、土壌の浄化処理を終了した。
このように、本例の土壌の浄化方法によれば、土壌中の重金属量が減少し、重金属が不活性化されることが分かった。
【００３４】
なお、腐植・土壌混合物１２'のうち残り０．４ｔは、他の汚染土壌の浄化処理に用いた。
また、廃棄物処理場に隣接した他の土地の汚染土壌の浄化を行った。重金属である鉛（Ｐｂ）を０．１〜０．２ｐｐｍ含む汚染土壌１ｔを汚染土壌として用い、実施例１と同様の手順を行ったところ、浄化処理後の腐植・土壌混合物１２'の鉛量を測定したところ、０．０１４〜０．０２０ｐｐｍになっていた。
このように、本例の土壌の浄化方法によれば、土壌中の重金属量が減少し、重金属が不活性化されることが分かった。
【００３５】
【産業上の利用性】
以上のように本発明によれば、土壌回復資材としてフェリハイドライト腐植複合体を用いているため、土壌回復資材に含まれるフェリハイドライト特有の性質により、効率よく土壌の浄化を行うことが可能となる。
フェリハイドライトは、表面で変異荷電特性をもつ−ＯＨ基が、プラスのイオンを持つ重金属を吸着、キレート結合し、固定、不活性化させる性質を有するため、重金属を含む土壌の浄化を行うことが可能となる。さらに、フェリハイドライトは比表面積が１８０〜２００ｍ２／ｇと大きく、重金属を吸着できる面積が広いため、フェリハイドライトを含むフェリハイドライト腐植複合体を用いることにより、効率よく重金属土壌の浄化を行うことが可能となるのである。
【００３６】
また、フェリハイドライトは、負電荷を持つ有機化合物の官能基とキレート結合して凝集する性質、鉄水和酸化物の有機化合物の分解を触媒する性質を有するため、有機化合物の吸着分解、不活性化により、有機化合物を含む土壌の浄化を行うことが可能となる。さらに、フェリハイドライトは比表面積が１８０〜２００ｍ２／ｇと大きく、有機化合物を吸着分解、不活性化できる面積が広いため、フェリハイドライトを含むフェリハイドライト腐植複合体を用いることにより、効率よく有機物土壌の浄化を行うことが可能となるのである。
【図面の簡単な説明】
図１は本発明の土壌の浄化方法の一実施形態の概略を示す説明図であり、図２は本発明に係る土壌の浄化方法の一実施形態の流れを示すブロック図であり、図３は本発明に係る土壌の浄化方法の他の実施形態の流れを示すブロック図である。
【図１】
0004238036.tif 000002
【図２】
0004238036.tif 000003
【図３】
0004238036.tif 000004